(57)【要約】      （修正有）【課題】点検補修履歴の探索を、熟練を要せずに容易に行える道路構造物の点検情報管理システムを提供する。【解決手段】表示画面上で、点検項目及び／又は点検時期が指定されると、指定された点検項目及び／又は点検時期に対応する点検が行われた点検箇所がデータベースから読み出され、２次元展開基図上に点検箇所として表示される１０１。表示画面上で、２次元展開基図の点検箇所が指定されると１０３、指定された点検箇所に対応する点検内容を示す情報がデータベースから読み出され、表示画面に表示される１０６。【選択図】図３
2016122361.tif 000002
【特許請求の範囲】
【請求項１】
道路構造物の点検情報管理システムであって、
道路構造物の２次元展開基図上の２つの基準点を指定するとともに、当該少なくとも２つの基準点に対応する道路上の既知の位置情報を入力し、
前記指定された少なくとも２つの基準点と、前記入力された既知の道路上の位置情報とに基づいて、前記２次元展開基図の表示画面上における２次元座標軸を設定し、
前記道路構造物を点検した際に、前記表示画面上で、前記道路構造物を点検した箇所に対応する前記２次元展開基図上の点検箇所を指定するとともに、点検内容を示す情報を各点検項目ごとに入力し、
前記指定された点検箇所に対応する表示画面上の２次元座標位置に対応づけて、点検時期を示す情報および前記点検項目毎の点検内容を示す情報をデータベースに記憶し、
前記表示画面上で、点検項目および／または点検時期が指定されると、当該指定された点検項目および／または点検時期に対応する点検が行われた点検箇所を前記データベースから読み出して、前記２次元展開基図上に点検箇所として表示すること
を特徴とする道路構造物の点検情報管理システム。
【請求項２】
さらに、前記表示画面上で、前記２次元展開基図の点検箇所が指定されると、当該指定された点検箇所に対応する点検内容を示す情報および／または点検時期を示す情報を前記データベースから読み出して、前記表示画面に表示する
ことを特徴とする請求項１記載の道路構造物の点検情報管理システム。
【請求項３】
前記点検項目は、少なくとも損傷の種類、補修の有無、損傷の大きさ、損傷状況を示す写真データを含むこと
を特徴とする請求項１または２に記載の道路構造物の点検情報管理システム。
【発明の詳細な説明】
【技術分野】
【０００１】
本発明は、道路構造物の点検情報管理システムに関し、特に、橋梁、トンネル、のり面などの点検情報を管理するシステムに関する。
【背景技術】
【０００２】
橋梁、トンネル、のり面などの道路構造物を維持管理するためには、日々の点検結果を記録して、データベースに記憶、格納し、必要に応じて、その情報を読み出して、劣化予測等に役立てることが必要である。
【０００３】
図１は、道路構造物の点検結果を記録する様子を概念的に示している。なお、道路構造物の２次元展開基図５０とは、図４に示すように、道路構造物の表面の構造を２次元平面に展開した図のことであり、ＣＡＤデータで構成することができる。
【０００４】
ある日に、道路構造物の点検を行い、点検箇所Ｐ１で損傷が発見された場合には、データシートＴ２１の２次元展開基図５０の対応する点検箇所Ｐ１をマーキングし、点検箇所Ｐ１に対応して、その点検結果の情報（たとえば損傷の種類は、「ひび割れ」、補修の有無は「未補修」という情報）を記録する。また点検箇所Ｐ１の損傷状況を示す写真Ｇ１１を撮影する。これらデータは、データベース２１に記憶、格納される。
【０００５】
また、ある日に、道路構造物の点検を行い、点検箇所Ｐ２で損傷が発見された場合には、データシートＴ２２の２次元展開基図５０の対応する点検箇所Ｐ２をマーキングし、その点検箇所Ｐ２に対応して、その点検結果の情報（たとえば損傷の種類は、「ひび割れ」、補修の有無は「未補修」という情報）を記録する。また点検箇所Ｐ２の損傷状況を示す写真Ｇ２１を撮影する。これらデータは、データベース２１に記憶、格納される。
【０００６】
また、ある日に、道路構造物の点検を行い、点検箇所Ｐ３で損傷が発見された場合には、データシートＴ２３の２次元展開基図５０の対応する点検箇所Ｐ３をマーキングし、その点検箇所Ｐ３に対応して、その点検結果の情報（たとえば損傷の種類は、「浮き」、補修の有無は「未補修」という情報）を記録する。また点検箇所Ｐ３の損傷状況を示す写真Ｇ３１を撮影する。これらデータは、データベース２１に記憶、格納される。
【０００７】
また、ある日に、道路構造物の点検箇所Ｐ３で補修が行われた場合には、データシートＴ２４の２次元展開基図５０の対応する点検箇所Ｐ３をマーキングし、その点検箇所Ｐ３に対応して、その点検結果の情報（たとえば損傷の種類は「浮き」、補修の有無は、「補修済み」という情報）を記録する。また点検箇所Ｐ３の損傷状況を示す写真Ｇ３２を撮影する。これらデータは、データベース２１に記憶、格納される。
【０００８】
下記特許文献１には、道路点検者が道路の損傷を発見した場合に、携帯端末から、道路損傷位置および道路損傷部分を示す写真をサーバに送信し、サーバで、送信されてきた情報に基づいて、地図とともに、道路損傷位置、道路損傷部分を示す撮影写真、道路損傷状況を配置した報告画面を生成して、インターネット上で道路補修者等に閲覧可能にするという発明が記載されている。
【先行技術文献】
【特許文献】
【０００９】
【特許文献１】特開２００７−６５８５４号公報
【発明の概要】
【発明が解決しようとする課題】
【００１０】
しかし、上述した現状の方法では、つぎのような問題がある。
１）任意の点検項目を絞り込んで全ての点検箇所の点検補修履歴を調べるためには、過去のデータシートを含む２枚以上のデータシートの対比が必要である。すなわち、「補修の有無」という点検項目に関連する点検箇所Ｐ１、Ｐ２、Ｐ３の点検補修履歴を確認するには、全てのデータシートＴ２１、Ｔ２２、Ｔ２３、Ｔ２４を参照してこれらを対比して、いずれの点検箇所が補修されたかどうかを判定しなければならない。
２）同一箇所の損傷の点検補修履歴を調べるためには、過去のデータシートを含む２枚以上のデータシートの対比および対応する写真データの対比が必要である。すなわち、点検箇所Ｐ３の点検補修履歴を確認するには、データシートＴ２３、Ｔ２４および写真データＧ３１，Ｇ３２の比較が必要である。
【００１１】
２枚以上のデータシートや写真データをデータベースから個々に読み出し、それらを参照対比して点検補修履歴を調べることは、作業者にとって煩わしく熟練を要する。
【００１２】
なお、特許文献１は、道路点検者が発見した道路損傷位置等を表示画面上で道路補修者等に閲覧可能にするという発明に過ぎず、そもそも道路構造物の過去の点検補修履歴を探索することを可能にする発明ではない。
【００１３】
本発明は、こうした実情に鑑みてなされたものであり、点検補修履歴の探索を、熟練を要せずに容易に行えるようにすることを解決課題とするものである。
【課題を解決するための手段】
【００１４】
第１発明は、  
道路構造物の点検情報管理システムであって、
道路構造物の２次元展開基図上の２つの基準点を指定するとともに、当該少なくとも２つの基準点に対応する道路上の既知の位置情報を入力し、
前記指定された少なくとも２つの基準点と、前記入力された既知の道路上の位置情報とに基づいて、前記２次元展開基図の表示画面上における２次元座標軸を設定し、
前記道路構造物を点検した際に、前記表示画面上で、前記道路構造物を点検した箇所に対応する前記２次元展開基図上の点検箇所を指定するとともに、点検内容を示す情報を各点検項目ごとに入力し、
前記指定された点検箇所に対応する表示画面上の２次元座標位置に対応づけて、点検時期を示す情報および前記点検項目毎の点検内容を示す情報をデータベースに記憶し、
前記表示画面上で、点検項目および／または点検時期が指定されると、当該指定された点検項目および／または点検時期に対応する点検が行われた点検箇所を前記データベースから読み出して、前記２次元展開基図上に点検箇所として表示すること
を特徴とする。
【００１５】
第２発明は、第１発明において、
さらに、前記表示画面上で、前記２次元展開基図の点検箇所が指定されると、当該指定された点検箇所に対応する点検内容を示す情報および／または点検時期を示す情報を前記データベースから読み出して、前記表示画面に表示する
ことを特徴とする。
【００１６】
第３発明は、第１発明または第２発明において、
前記点検項目は、少なくとも損傷の種類、補修の有無、損傷の大きさ、損傷状況を示す写真データを含むこと
を特徴とする。
【発明の効果】
【００１７】
第１発明によれば、表示画面上で、点検項目および／または点検時期が指定されると、当該指定された点検項目および／または点検時期に対応する点検が行われた点検箇所がデータベースから読み出され、２次元展開基図上に点検箇所として表示される。
たとえば図８（ａ）に示すように、「補修の有無は「未補修」」という点検項目が指定されると、表示画面３１の２次元展開基図５０上に「未補修」の全ての点検箇所Ｐ１、Ｐ２が表示される。また、たとえば図１０（ｂ）に示すように、「補修の有無は「補修済み」」という点検項目が指定されると、表示画面３１の２次元展開基図５０上に「補修済み」の全ての点検箇所Ｐ３が表示される。
【００１８】
また第２発明によれば、表示画面上で、２次元展開基図の点検箇所が指定されると、当該指定された点検箇所に対応する点検内容を示す情報および／または点検時期を示す情報がデータベースから読み出され、表示画面に表示される。
【００１９】
たとえば図１１に示すように、表示画面３１上で２次元展開基図５０の点検箇所Ｐ３が指定されると、当該指定された点検箇所Ｐ３に対応する点検内容を示す情報、つまり点検箇所Ｐ３に関する「未補修」から「補修済」への履歴、補修の種類は「浮き」であるという情報、損傷の大きさは「０．４」（損傷ランクは「中」）であるという情報、損傷状況を示す写真データＧ３１，Ｇ３２およびそれらの点検時期が「ｇ年ｈ月ｉ日」、「ｄ年ｊ月ｋ日」であるという情報を示すデータが、データベースから読み出され、表示画面３１に表示される。
【００２０】
したがって作業者は、点検補修情報の探索を熟練を要せずに容易に行うことができるようになる。
【図面の簡単な説明】
【００２１】
【図１】図１は、従来技術を説明する図で、道路構造物の点検結果を記録する様子を概念的に示す図である。
【図２】図２に示すように、本発明の実施形態の道路構造物の点検情報管理システムを示す図である。
【図３】図３は、実施例の処理手順を示すフローチャートである。
【図４】図４は、道路構造物の２次元展開基図と、２次元展開基図に関連するデータの内容を示す図である。
【図５】図５（ａ）は、通信端末装置の表示画面３１を示す図で、２次元展開基図の表示画面上における仮想座標軸を設定する画面を示した図で、図５（ｂ）はに、指定された２つの基準点と、入力された既知の道路上の位置情報とに基づいて、２次元展開基図の表示画面上における２次元座標軸が設定されることを説明する図である。
【図６】図６は、通信端末装置の表示画面を示す図で、表示画面上の２次元展開基図に点検箇所を指定する画面を示した図である。
【図７】図７は、２次元展開基図のデータ構造を概念的に示した図である。
【図８】図８（ａ）、（ｂ）は、通信端末装置の表示画面を示す図で、指定された点検項目および／または点検時期に応じて、表示画面上の２次元展開基図に点検箇所を表示する画面を示した図である。
【図９】図９（ａ）、（ｂ）は、通信端末装置の表示画面を示す図で、指定された点検箇所に対応する点検内容を示す情報を表示する画面を示した図である。
【図１０】図１０（ａ）、（ｂ）、（ｃ）は、通信端末装置の表示画面上で、点検項目および／または点検時期の指定をしない場合、指定した場合に、対応する点検内容を表示する画面を示した図である。
【図１１】図１１は、通信端末装置の表示画面上で、２次元展開基図の点検箇所が指定されると、この指定された点検箇所に対応する過去の点検補修内容を示す情報が点検補修履歴として表示する画面を示した図である。
【発明を実施するための形態】
【００２２】
以下、図面を参照して、本発明に係る道路構造物の点検情報管理システムの実施形態について説明する。
【００２３】
図２に示すように、本発明の実施形態の道路構造物の点検情報管理システム１は、管理装置２０と、通信端末装置３０とを備えて構成されている。管理装置２０と通信端末装置３０は、インターネット、ＬＡＮなどの通信回線網２によって互いに送受信可能に接続されている。通信端末装置３０は、スマートフォン、携帯電話、ノートパソコン、タブレット端末などである。
【００２４】
図２に示すように、管理装置２０は、サーバ２２を備えて構成されている。サーバ２２は、記憶部２３を有している。記憶部２３には、後述するように通信端末装置３０の表示画面３１上で、道路構造物の２次元展開基図５０を表示したり、２次元展開基図５０に関連するデータを入力および出力するために必要なアプリケーションプログラムが記憶されている。
【００２５】
サーバ２２は、データベース２１を有している。データベース２１には、道路構造物の２次元展開基図５０および２次元展開基図５０上の点検箇所の位置情報、点検時期を示す情報および点検項目毎の点検内容を示す情報に関するデータが記憶されている。点検項目は、少なくとも損傷の種類、補修の有無、損傷の大きさ（損傷のランク）、損傷状況を示す写真データを含む。
【００２６】
サーバ２２は、電話回線、ＩＳＤＮ回線、専用線などの通信回線を介して通信回線網２に接続され、通信端末装置３０との間で、送受信を行う。
【００２７】
通信端末装置３０（たとえばタブレット端末）は、表示画面３１を有している。通信端末装置３０は、電話回線、ＩＳＤＮ回線、専用線などの通信回線や、基地局を介して、通信回線網２に接続し、サーバ２２との間で、送受信を行う。
【００２８】
以上のように構成された道路構造物の点検情報管理システム１で行われる処理内容について、以下、フローチャートにしたがって説明する。
【００２９】
図４は、道路構造物の２次元展開基図５０を例示している。道路構造物は、たとえば橋梁、トンネル、のり面などである。２次元展開基図５０は、道路構造物を表面の構造を２次元平面に展開した図のことであり、ＣＡＤデータで構成することができる。ラスタ（画像）データを重ねて見易くしてもよい。２次元展開基図５０は、道路構造物を道路上の所定の区間ごとに区切った道路構造物の部分展開図であり、一つの２次元展開基図５０上の地図上の各基準点Ａ、Ｂの位置は、道路上の既知のＫＰ（キロ・ポスト）の位置情報から既知である。
【００３０】
道路構造物の点検項目は、損傷の種類（ひび割れ、浮きなど）、補修の有無（未補修、補修済みの別）、損傷の大きさ（損傷のランク）、損傷の状況であり、テキストデータ並びに損傷状況を示す写真データなどで示される。
【００３１】
道路構造物のある箇所で損傷を発見した場合、あるいは補修があった場合には、その点検箇所に、上述の点検項目に応じた点検内容を示す情報および点検時期を示す情報が対応づけられる。
【００３２】
まず、図３に示すステップ１０１で、通信端末装置３０側でブラウザを立ち上げ、通信回線網２を介してサーバ２２の記憶部２３に記憶されたプログラム、データベース２１に記憶されたデータにアクセスする可能とする。これにより通信端末装置３０の表示画面３１に、道路構造物の２次元展開基図５０を表示したり、２次元展開基図５０に関連するデータを入力したり、２次元展開基図５０に関連するデータを出力したりすることができるようになる。
【００３３】
通信端末装置３０の表示画面３１に表示された指示に従い、入力装置（テンキー、タッチ操作など）のコマンド入力操作を行うことにより、処理をすすめることができる。
【００３４】
点検したい区間の２次元展開図５０が、既にデータベース２１に記憶されている場合には、その２次元展開図５０を読み出して、通信端末装置３０の表示画面３１上に表示する。
また、点検したい区間の２次元展開図５０が、データベース２１に記憶されていない場合には、その２次元展開図５０のＣＡＤデータを入力して、通信端末装置３０の表示画面３１上に表示する。（ステップ１０１）。
【００３５】
図５（ａ）は、通信端末装置３０の表示画面３１を示す図で、２次元展開基図５０の表示画面３１上における仮想座標軸を設定する画面を示している。
【００３６】
作業者は、道路構造物の２次元展開基図５０上の２つの基準点Ａ、Ｂを矢印で示すように指定する処理を行うとともに、これら２つの基準点Ａ、Ｂに対応する道路上の既知の位置情報、つまり例えば上述した既知のＫＰ（キロ・ポスト）の位置情報を入力する処理を行う。    
【００３７】
これにより、図５（ｂ）に示すように、指定された２つの基準点Ａ、Ｂと、入力された既知の道路上の位置情報とに基づいて、２次元展開基図５０の表示画面３１上における２次元座標軸Ｘ、Ｙが設定される。基準点Ａ、Ｂは、表示画面３１上の仮想座標軸Ｙ上の各座標位置に換算される。仮想座標軸Ｘは、仮想座標軸Ｙに対して垂直な軸に設定される。このようにして、２次元展開基図５０上の任意の箇所Ｐを、表示画面３１における２次元座標軸Ｘ、Ｙ上の２次元座標位置（Ｘ、Ｙ）として表示することが可能となる。こうして設定された２次元展開基図５０の２次元座標軸Ｘ，Ｙのデータは、通信回線網２を介してサーバ２２のデータベース２１に記憶される。これにより、点検したい区間の２次元展開図５０上の任意の箇所Ｐを、通信端末装置３０の表示画面３１上で表示したり指定し特定することが可能となる（ステップ１０２）。
【００３８】
図６は、通信端末装置３０の表示画面３１を示す図で、表示画面３１上の２次元展開基図５０に点検箇所を指定する画面を示している。
【００３９】
点検作業者が、道路構造物をある点検箇所を点検したとすると、通信端末装置３０の表示画面３１上で、その点検箇所に対応する２次元展開基図５０上の点検箇所Ｐ１を指定する処理を行う。また、その点検箇所に関連する点検内容を示す情報を各点検項目ごとに入力する処理を行う。
【００４０】
ここでは、点検箇所Ｐ１が指定され、２次元展開基図５０上の点検箇所Ｐ１の２次元座標位置（Ｘ1、Ｙ1）が算出される。また、点検箇所Ｐ１に関して、損傷の種類（「ひび割れ」）、補修の有無（「未補修」）、損傷の大きさ（「０．２」あるいは損傷のランク「小」）という各項目毎のデータが入力される。また点検箇所Ｐ１の損傷状況を示す写真のデータＧ１１が入力される（ステップ１０３）。
【００４１】
つぎに、指定された点検箇所Ｐ１の表示画面３１上における２次元座標位置（Ｘ1、Ｙ1）に対応づけて、点検時期（ａ年ｂ月ｃ日）を示すデータおよび点検項目毎の点検内容を示すデータ（損傷の種類（「ひび割れ」）、補修の有無（「未補修」）、損傷の大きさ（「０．２」あるいは損傷のランク「小」）、写真のデータＧ１１が、通信回線網２を介してサーバ２２のデータベース２１に記憶される。点検時期（ａ年ｂ月ｃ日）を示すデータは、写真のデータＧ１１、つまり写真を撮影した日付けのデータに基づいて取得することができる。（ステップ１０４）。
【００４２】
また、別の日に、点検作業者が、道路構造物の別の点検箇所の点検が行われ、図６に示すように、通信端末装置３０の表示画面３１上で、同様にして、その点検箇所に対応する２次元展開基図５０上の点検箇所Ｐ２が指定され、その点検箇所Ｐ２に関して、損傷の種類（「ひび割れ」）、補修の有無（「未補修」）、損傷の大きさ（「０．２」あるいは損傷のランク「小」）という各点検項目毎のデータが入力され、損傷状況を示す写真のデータＧ２１が入力されると、２次元展開基図５０上の点検箇所Ｐ２の２次元座標位置（Ｘ2、Ｙ2）が算出され、指定された点検箇所Ｐ２の表示画面３１上における２次元座標位置（Ｘ2、Ｙ2）に対応づけて、点検時期（d年e月f日）を示すデータおよび点検項目毎の点検内容を示すデータ（損傷の種類（「ひび割れ」）、補修の有無（「未補修」）、損傷の大きさ（「０．２」あるいは損傷のランク「小」）、写真のデータＧ２１が、通信回線網２を介してサーバ２２のデータベース２１に記憶される（ステップ１０４）。
【００４３】
図７は、２次元展開基図５０のデータ構造を概念的に示している。点検が行われ毎に、つまり点検箇所が指定される毎に、その指定された点検箇所Ｐ１、Ｐ２の表示画面３１上における２次元座標位置（Ｘ1、Ｙ1）、（Ｘ2、Ｙ2）のデータそれぞれに対して、各点検項目毎のデータ（写真データＧ１１、Ｇ２１等）が対応づけられて、データベース２１に記憶されることになる。
【００４４】
図８は、通信端末装置３０の表示画面３１を示す図で、指定された点検項目および／または点検時期に応じて、表示画面３１上の２次元展開基図５０に点検箇所を表示する画面を示している。
【００４５】
通信端末装置３０の表示画面３１上で、点検項目および／または点検時期が指定されると、この指定された点検項目および／または点検時期に対応する点検が行われた点検箇所がデータベース２１から読み出され、２次元展開基図５０上に点検箇所として表示される。たとえば、図８（ａ）に示すように、補修の有無は「未補修」という点検項目が矢印で示すように指定されると、この指定された点検項目（補修の有無は「未補修」という点検項目）に対応する点検が行われた点検箇所Ｐ１、Ｐ２がデータベース２１から読み出され、「未補修」である全ての点検箇所Ｐ１、Ｐ２が表示されることになる。また、たとえば、図８（ｂ）に示すように、点検時期「点検年ｄ」という点検時期が指定されると、この指定された点検時期（「ｄ年」という点検時期）に対応する点検が行われた点検箇所Ｐ２がデータベース２１から読み出され、「点検年ｄ」に点検した点検箇所Ｐ２のみが表示されることになる。なお、点検項目および／または点検時期の指定がない場合には、過去に点検補修が行われた２次元展開基図５０上の全点検箇所が表示される（ステップ１０５）。
【００４６】
図９は、通信端末装置３０の表示画面３１を示す図で、指定された点検箇所に対応する点検内容を示す情報および／または点検時期を示す情報を表示する画面を示している。
【００４７】
たとえば図９（ａ）に示すように、通信端末装置３０の表示画面３１上で、２次元展開基図５０の点検箇所Ｐ１が矢印で示すように指定されると、この指定された点検箇所Ｐ１に対応する過去の点検内容を示す情報（損傷の種類（「ひび割れ」）、補修の有無（「未補修」）、損傷の大きさ（「０．２」あるいは損傷ランク「小」）、写真のデータＧ１１、点検時期（ａ年ｂ月ｃ日））が、通信回線網２を介してサーバ２２のデータベース２１から読み出されて、表示画面３１に表示される。同様にして、図９（ｂ）に示すように、通信端末装置３０の表示画面３１上で、２次元展開基図５０の点検箇所Ｐ２が指定されると、この指定された点検箇所Ｐ２に対応する点検内容を示す情報（損傷の種類（「ひび割れ」）、補修の有無（「未補修」）、損傷の大きさ（「０．２」あるいは損傷ランク「小」）、写真のデータＧ２１、点検時期（ｄ年ｅ月ｆ日））が、通信回線網２を介してサーバ２２のデータベース２１から読み出されて、表示画面３１に表示される（ステップ１０６）。
【００４８】
以下、さらに他の表示例を示す。
【００４９】
この表示例では、上記点検箇所Ｐ１、Ｐ２に加え、点検箇所Ｐ３について点検補修がなされたものとする。
【００５０】
すなわち、ある日（ｇ年ｈ月ｉ日）に、道路構造物の点検を行い、点検箇所Ｐ３で損傷が発見されたとすると、２次元展開基図５０の点検箇所Ｐ３に対応する表示画面３１上の２次元座標位置（Ｘ3、Ｙ3）に対応づけて、点検内容を示す情報（損傷の種類（「浮き」）、補修の有無（未補修）、損傷の大きさ（「０．４」あるいは損傷ランク「中」）、写真のデータＧ３１、点検時期（ｇ年ｈ月ｉ日））が、サーバ２２のデータベース２１に記憶される（ステップ１０４）。
【００５１】
また、ある日（ｄ年ｊ月ｋ日）に、道路構造物の点検を行い、点検箇所Ｐ３で補修が行われたとすると、２次元展開基図５０の点検箇所Ｐ３に対応する表示画面３１上の２次元座標位置（Ｘ3、Ｙ3）に対応づけて、点検内容を示す情報（損傷の種類（「浮き」）、補修の有無（補修済み）、損傷の大きさ（「０．４」あるいは損傷ランク「中」）、写真のデータＧ３２、点検時期（ｄ年ｊ月ｋ日））が、サーバ２２のデータベース２１に記憶される（ステップ１０４）。
【００５２】
そこで、図１０（ａ）に示すように、通信端末装置３０の表示画面３１上で、点検項目および／または点検時期の指定をしないで、過去に点検補修が行われた全点検箇所を表示する指定、つまり点検補修履歴のボタンを押す処理を矢印で示すように行うと、表示画面３１の２次元展開基図５０上に、過去に点検補修が行われた全ての点検箇所Ｐ１、Ｐ２、Ｐ３が表示される。そして点検箇所Ｐ１、Ｐ２、Ｐ３それぞれに対応する過去の損傷状況の履歴を示す写真データＧ１１、Ｇ２１、Ｇ３１、Ｇ３２も併せて表示画面３１に表示される（ステップ１０５）。
【００５３】
ここで、通信端末装置３０の表示画面３１上に、未補修の点検箇所Ｐ１、Ｐ２と補修済みの点検箇所Ｐ３とを、色分け表示してもよい。たとえば、未補修の点検箇所Ｐ１、Ｐ２は、その箇所が赤色で表示され、補修済みの点検箇所Ｐ３は、その箇所が黄色で表示される。  
【００５４】
また損傷の種類毎に色分け表示してもよい。たとえば損傷の種類が「ひび割れ」である点検箇所Ｐ１、Ｐ２と、損傷の種類が「浮き」である点検箇所Ｐ３とを異なる色で表示することができる。
【００５５】
また、点検項目および／または点検時期を指定して、その指定された点検項目および／または点検時期に対応する点検箇所のみを表示してもよい。たとえば、図１０（ｂ）に示すように、補修の有無「補修済み」という点検項目が指定されると、「補修済み」である点検箇所Ｐ３のみが表示されることになる。また、たとえば、図１０（ｃ）に示すように、「点検年ｄ」という点検時期が指定されると、「点検年ｄ」に点検した点検箇所Ｐ２、Ｐ３のみが表示されることになる。同様にして、他の点検項目（損傷の大きさ（損傷のランク））を指定したり、２以上の点検項目を組み合わせて指定したり、点検項目と点検時期を組み合わせて指定して、指定された点検内容、点検時期に対応する点検箇所のみを表示することができる（ステップ１０５）。
【００５６】
また、表示画面３１上で、点検箇所を指定すると、指定された点検箇所に対応する点検内容および／または点検時期を示す情報が表示される。たとえば通信端末装置３０の表示画面３１上で、２次元展開基図５０の点検箇所Ｐ３が指定されると、この指定された点検箇所Ｐ３に対応する点検内容を示す過去の履歴が表示画面３１上に表示される。
【００５７】
すなわち、図１１に示すように、通信端末装置３０の表示画面３１上で、２次元展開基図５０の点検箇所Ｐ３が指定されると、この指定された点検箇所Ｐ３に対応する過去の点検補修内容および点検時期示す情報が点検補修履歴として、つまり点検時期「ｇ年ｈ月ｉ日」に、補修の有無は「未補修」であって、損傷状況を示す写真はＧ３１であったが、点検時期「ｄ年ｊ月ｋ日」に、補修の有無は「補修済み」で、損傷状況を示す写真はＧ３２となったという情報が表示される。なお損傷の種類は「浮き」で、損傷の大きさは「０．４」あるいは損傷ランクは「中」であるという情報も併せて表示される（ステップ１０６）。
【００５８】
以上のように本実施形態によれば、表示画面上で、点検項目および／または点検時期が指定されると、当該指定された点検項目および／または点検時期に対応する点検が行われた点検箇所がデータベースから読み出され、２次元展開基図上に点検箇所として表示することができる。
【００５９】
また本実施形態によれば、表示画面上で、２次元展開基図の点検箇所が指定されると、当該指定された点検箇所に対応する点検内容を示す情報および／または点検時期を示す情報がデータベースから読み出され、表示画面に表示される。
したがって作業者は、点検補修情報の探索を熟練を要せずに容易に行うことができるようになる。
【図１】
2016122361.tif 000003
【図２】
2016122361.tif 000004
【図３】
2016122361.tif 000005
【図４】
2016122361.tif 000006
【図５】
2016122361.tif 000007
【図６】
2016122361.tif 000008
【図７】
2016122361.tif 000009
【図８】
2016122361.tif 000010
【図９】
2016122361.tif 000011
【図１０】
2016122361.tif 000012
【図１１】
2016122361.tif 000013